(57)【要約】      （修正有）【課題】従来の育苗盤、育苗用苗床は、土壌に植えることを前提としているため、人工基盤上で植物を育成するには、プランターを使用するか人工基盤を解体し育成に適した土壌を作る必要があるが、運搬や作業工程においての負担が大きい。また、人工基盤上以外の砂漠地帯や旱魃地域においても、膨大な給水量や土壌の改善が必要なため、植物の育成過程による管理負担が大きい。これらの負担の軽減と環境改善、林業界への経済効果の向上を目的とした育苗盤を提供する。【解決手段】木材を堆肥化させた緑化基材２に肥料３、保水剤４、接合剤６を混合・攪拌し、必要に応じて種子５を混合・攪拌し圧縮硬化させた育苗盤１。【選択図】図３
2010099054.tif 000002
【特許請求の範囲】
【請求項１】
育苗盤の製造過程において、木材を堆肥化させた緑化基材に肥料、保水剤、接合剤を混合・攪拌し、圧縮硬化させて製造することを特徴とする育苗盤。
【請求項２】
請求項１において種子を混合・攪拌したことを特徴とする育苗盤。
【請求項３】
育苗盤の製造過程において、木材を堆肥化させ、かつ土を含まない緑化基材に肥料、保水剤、接合剤を混合・攪拌し、圧縮硬化させて製造することを特徴とする育苗盤。
【請求項４】
請求項３において種子を混合・攪拌したことを特徴とする育苗盤。
【発明の詳細な説明】
【技術分野】
【０００１】
この発明は、人工基盤上や砂漠地帯、旱魃地域においても、直接設置し植物の育成可能な育苗盤に関するものである。
【背景技術】
【０００２】
培土を使ってマット状にしたもの（例：特許文献１）や、圧縮しているが土壌で使用するもの（例：特許文献２）（例：特許文献３）が提案されている。
【特許文献１】特開平１０−２５７８２０
【特許文献２】特開平１０−１０８５４４
【特許文献３】特開平０７−３０８１２０
【発明の開示】
【発明が解決しようとする課題】
【０００３】
従来の育苗盤、育苗用苗床は、土壌に植えることを前提としているため、人工基盤上に直接設置しての育成はできない。
【０００４】
前記要因により人工基盤上で植物を育成するには、プランターを使用するか人工基盤を解体し育成に適した土壌を作る必要がある。
【０００５】
前記要因により街路や屋上での植物の育成には、人工基盤の解体や土壌化が伴い運搬や作業工程において負担が大きい。
【０００６】
前記要因により人工基盤上以外の砂漠地帯や旱魃地域においても、膨大な給水量と土壌の改善が必要なため、植物の育成過程による管理負担が大きい。
【課題を解決するための手段】
【０００７】
育苗盤の製造過程において、木材を堆肥化させた緑化基材に肥料、保水剤、接合剤を混合・攪拌し、圧縮硬化させて製造することを特徴とする育苗盤。
【０００８】
前記製造過程において種子を混合・攪拌したことを特徴とする育苗盤。
【０００９】
育苗盤の製造過程において、木材を堆肥化させ、かつ土を含まない緑化基材に肥料、保水剤、接合剤を混合・攪拌し、圧縮硬化させて製造することを特徴とする育苗盤。
【００１０】
前記製造過程において種子を混合・攪拌したことを特徴とする育苗盤。
【発明の効果】
【００１１】
請求項１について、木材を堆肥化させた緑化基材に肥料、保水剤、接合剤を混合・攪拌し圧縮硬化しているため、肥料、保水剤の効果が向上し、風化、散乱が予防できるので人工基盤上に直接設置して植物を育成できる。
【００１２】
請求項２について、前記製造過程において種子を混合・攪拌することで、植種作業を軽減できる。
【００１３】
請求項３について、木材を堆肥化させ、かつ土を含まない緑化基材に肥料、保水剤、接合剤を混合・攪拌し圧縮硬化しているため、土を含んだ場合よりも軽量となり接合剤の効果も向上するので運搬や作業負担を軽減することができる。
【００１４】
請求項４について、前記製造過程において種子を混合・攪拌することで、植種作業を軽減できる。
【００１５】
農地化など土壌の改善が植物の育成より優先される場合は、種子を混合・攪拌しないものを利用する。
【００１６】
圧縮硬化により人工基盤上に直接設置して植物を育成できるため、プランターの使用や人工基盤の解体、土壌化が不要となる。
【００１７】
プランターの使用や人工基盤の解体、土壌化が不要となるため、街路や屋上での植物の育成において運搬や作業工程の負担を軽減できる。
【００１８】
人工基盤上に直接設置できるため、都市部や住宅部の街路や屋上に使用することで、運搬や作業工程の負担を軽減してヒートアイランド現象の緩和対策に利用できる。
【００１９】
砂漠地帯や旱魃地域においても、給水量を軽減して土壌の改善をすることなく植物を育成できるため、砂漠化や旱魃の問題をもつ国や地域に負担を軽減して環境改善に貢献できる。
【００２０】
用途が少ないため放置され森林荒廃の要因となっている間伐材や竹、または建築廃棄材、流木でも堆肥化させ緑化基材にできるため、山林整備や廃棄材、流木の再利用に貢献することができる。
【００２１】
放置や廃棄されていた間伐材や竹が収入源となり優良木材の育成にもつながるため、低迷する林業者に経済効果を提供することができる。
【発明を実施するための最良の形態】
【００２２】
図１は、第１実施形態の育苗盤を示す平面図である。育苗盤１は四角形状をなしている。
【００２３】
図２は、第１実施形態の育苗盤を示す斜視図である。育苗盤１は四角形状をなしている。
【００２４】
図３は、第１実施形態の育苗盤を示す断面図、図２：Ａ−Ａである。育苗盤１は四角形状をなし、その内部には木材を堆肥化させた緑化基材２に、肥料３、保水剤４、必要に応じて種子５を混合・攪拌し、肥料、保水剤の効果向上と、風化、散乱予防のため接合剤６を混合・攪拌して圧縮硬化し、設置作業工程簡易化のため台座７、安定化の必要に応じて外枠８を施している。
【００２５】
この育苗盤１の原材料となる木材は、間伐材や竹、建築廃棄材、流木などが好ましい。
【００２６】
なお、本発明における育苗盤とは、土を含まないものをいう。
【００２７】
木材を堆肥化させた緑化基材２、肥料３、保水剤４、接合剤６、台座７、必要に応じて種子５、安定化の必要に応じて外枠８は、設置する環境に応じて配分や形状の変更は可能である。
【実施例】
【００２８】
本発明の実施例を以下に説明する。以下の実施例は、本発明を例示するものであって、これに限定されるものではない。
【００２９】
育苗盤の製造方法は、木材を粉砕し堆肥化させた緑化基材１００リットルに、肥料１００〜３００ｇ、保水剤２００〜４００ｇ、必要に応じて西洋芝の種子１〜２０ｇ、接合剤２００〜４００ｇを混合・攪拌し、かつ土を加えず縦・横５０ｃｍ厚さ１０ｃｍの型枠に満載し、５０％の厚さ５ｃｍまで圧縮硬化したものに、一度水分を与えておけば自然環境のまま育成できる。
【００３０】
木材を堆肥化させた緑化基材、肥料、保水剤、種子、接合剤の配分と種子の種類は設置する環境に応じて変更は可能である。
【００３１】
型枠の形状は、設置する環境に応じて変更は可能である。
【００３２】
種子については、本実施例に限定されることなく、必要に応じて混合する場合としない場合がある。
【産業上の利用可能性】
【００３３】
人工基盤上に直接設置して植物の育成可能な育苗盤は、木材を堆肥化させた緑化基材に肥料、保水剤、接合剤を混合・攪拌し圧縮硬化させ、必要に応じて種子を混合・攪拌し圧縮硬化しているので、肥料、保水剤の効果が向上し、風化、散乱が予防できる。また、プランターの使用や人工基盤の解体、土壌化作業が不要となるため、都市部や住宅部の街路や屋上に使用することで、運搬や作業工程の負担を軽減してヒートアイランド現象の緩和対策に利用できる。砂漠地帯や旱魃地域においても、給水量を軽減し土壌の改善をすることなく植物を育成できるため、砂漠化や旱魃の問題をもつ国や地域に負担を軽減して環境改善に貢献できる。また、用途が少ないため放置され森林荒廃の要因となっている間伐材や竹、建築廃棄材、流木でも堆肥化させ緑化基材にできるため、山林整備や廃棄材、流木の再利用に貢献することができる。林業界においては、放置や廃棄されていた間伐材が収入源となり優良木材の育成にもつながるため、経済効果を提供することができる。
【図面の簡単な説明】
【００３４】
【図１】第１実施形態の育苗盤を示す平面図。
【図２】第１実施形態の育苗盤を示す斜視図。
【図３】第１実施形態の育苗盤を示す断面図、図２：Ａ−Ａ。
【符号の説明】
【００３５】
１：育苗盤  
２：緑化基材  
３：肥料  
４：保水剤
５：種子
６：固形剤
７：台座
８：外枠
【図１】
2010099054.tif 000003
【図２】
2010099054.tif 000004
【図３】
2010099054.tif 000005